(57)【要約】【課題】企業等において生じる細断紙、家庭において生じるゴミ等を圧縮してパッキングすることができる廃棄物圧縮収容装置を提供する。【解決手段】廃棄物容器１１と、廃棄物容器１１内にセットされる廃棄物収容袋１５と、廃棄物収容袋１５の内側または外側に配置され廃棄物収容袋１５内の収容物Ｄを圧縮するウェイト１４とを備えた廃棄物圧縮収容装置１において、廃棄物容器１１の底板１１４には通気穴１１５が、底部側面にはスリット１１３がエアー抜きとして設けられている。【選択図】　　　図１
2004010208.tif 000002
【特許請求の範囲】
【請求項１】
廃棄物容器と、当該廃棄物容器内にセットされる廃棄物収容袋と、前記廃棄物収容袋の内側または外側に配置され前記廃棄物収容袋内の収容物を圧縮するウェイトとを備えた廃棄物圧縮収容装置において、
前記廃棄物容器の底面または底部側面には、前記内部と外部とを連通するエアー抜きが設けられていることを特徴とする廃棄物圧縮収容装置。
【請求項２】
前記廃棄物容器内にセットされる廃棄物収容袋内の収容物を、前記廃棄物収容袋の内側に配置されたウェイトにより圧縮する請求項１に記載の廃棄物圧縮収容装置において、
前記廃棄物収容袋内部であって前記廃棄物容器の内壁面側の少なくとも一部に、前記ウェイトと前記廃棄物収容袋との直接接触を防止する接触防止部材が設けられていることを特徴とする廃棄物圧縮収容装置。
【請求項３】
前記廃棄物容器が平面視矩形状または円形状をなす請求項２に記載の廃棄物圧縮収容装置において、
前記接触防止部材は、
前記廃棄物容器の内壁面側の全域にわたり設けられる筒状体、
前記廃棄物容器の内壁面の少なくとも一部に設けられる、少なくと一枚の板状体、または、
前記廃棄物容器内の内壁面近傍の適宜個所に、容器の上部から下面に向けてそれぞれ設けられる少なくとも３本の棒状体、
であることを特徴とする請求項２に記載の廃棄物圧縮収容装置。
【請求項４】
前記廃棄物容器の下端には当該容器を人の足で固定するためのフランジが設けられてなることを特徴とする請求項１から３の何れかに記載の廃棄物圧縮収容装置。
【請求項５】
廃棄物容器と、当該廃棄物容器内にセットされる廃棄物収容袋と、前記廃棄物収容袋を構成するシート材を介在させて前記廃棄物収容袋内の収容物を圧縮する押圧体と、前記押圧体をペダルの踏力により動作させる押圧体駆動機構を備えた廃棄物圧縮収容装置であって、
前記ペダルの非踏込み時には、前記廃棄物収容袋内への収容物投入の妨害とならない位置に前記押圧体を退避させる機構と、
前記ペダルの踏込み時には、前記廃棄物収容袋内の収容物を上側から下側に押圧するよう前記押圧体を動作させる機構と、
を備えたことを特徴とする廃棄物圧縮収容装置。
【請求項６】
紙細断部と、当該紙細断部の下部に設けられた容器とを備えたシュレッダの当該容器に使用される、請求項１から５の何れかに記載の廃棄物圧縮収容装置。
【請求項７】
廃棄物収容袋と、前記廃棄物収容袋の内側に配置され前記廃棄物収容袋内の収容物を圧縮するウェイトと、前記廃棄物収容袋内部に収容空間を形成し、かつ前記ウェイトをガイドするウェイトガイド部材とからなることを特徴とする廃棄物圧縮収容装置。
【請求項８】
前記ウェイトガイド部材は、高さ可変機構および／または収容空間の平面視面積を拡縮する拡縮機構を有することを特徴とする請求項７に記載の廃棄物圧縮収容装置。
【請求項９】
紙細断部と、当該紙細断部の下部に配置される細断紙収容体とを備えたシュレッダの当該細断紙収容体に使用される、請求項７または８に記載の廃棄物圧縮収容装置。
【発明の詳細な説明】
【０００１】
【発明の属する技術分野】
本発明は、企業等において生じる細断紙、家庭において生じるゴミ等を圧縮してパッキングすることができる廃棄物圧縮収容装置に関する。
【０００２】
【従来の技術】
家庭内において生じるゴミ（以下、「家庭ゴミ」と言う）の中には、通常の状態では対容積重量が小さいものも少なくないために、家庭ゴミは、適宜対容積重量を大きくするために圧縮することがある。
【０００３】
また、企業において生じる細断紙（シュレッダによる細断紙）のうち、繊維長さを残して細帯に細断されたものや千切ったものは、通常の状態では対容積重量が小さい。このため、当該細断紙をゴミとして廃棄する場合には、細断紙収容容器内にセットされた細断紙収容袋内の細断紙を手作業により圧縮して、ゴミの対容積重量を大きくすることがある。
【０００４】
【発明が解決しようとする課題】
現在市販されているゴミの収容容器は、家庭ゴミやシュレッダ細断紙を圧縮する機能を持たないため、対容積重量を大きくしようとする場合には、人の手作業に圧縮を行わなければならない。
【０００５】
この不都合を解決するために、本願出願人は、効率よくゴミやシュレッダ細断紙を圧縮するゴミ容器を提案している（特開平１１−２９２２０４号公報参照）。このゴミ容器によれば効率よくゴミやシュレッダ細断紙の圧縮を行うことができるが、これらを圧縮しすぎると、ゴミ袋や細断紙収容袋をゴミ容器からの取り出す際に容器内に真空状態が生じ、当該取り出しが困難になることがある。
【０００６】
また、シュレッダには、細断紙収容容器内に蓄積した細断紙の堆積高さを検出するセンサが設けられるものもあり、通常、このセンサが動作した場合、シュレッダのユーザは、細断紙収容容器を引き出し当該容器にまだ細断紙を収容できるか否かをチェックする。そして、細断紙収容袋内の細断紙を均したり、手で細断紙を袋内に押し込めば（圧縮すれば）、細断紙収容袋を交換せずにそのままシュレッダにより細断作業を再開できる場合も多い。しかし、従来のシュレッダでは、簡単に細断紙を圧縮する機構は設けられていない。このため、実際には当該容器にまだ細断紙を収容できる余裕がある場合であっても、センサが動作してしまうことになり、ユーザはセンサが動作するたびに手で細断紙を袋内に押し込まなければならないといった煩わしさがある。
【０００７】
本発明は、家庭ゴミや企業において生じるシュレッダ細断紙を、効率よく圧縮することができる廃棄物圧縮収容装置を提供することを目的とする。
【０００８】
【課題を解決するための手段】
本発明の第１態様の廃棄物圧縮収容装置は、廃棄物容器と、当該廃棄物容器内にセットされる廃棄物収容袋と、前記廃棄物収容袋の内側または外側に配置され前記廃棄物収容袋内の収容物を圧縮するウェイトとを備えたもので、前記廃棄物容器の底面または底部側面には、前記内部と外部とを連通するエアー抜きが設けられていることを特徴とする。
【０００９】
ウェイトは、全体で剛性をなす例えば板状のもの、あるいは全体が長さ方向や幅方向に撓む板状のもの、その他種々の形態のものを使用することができる。通常ウェイトには把手や穴（手が入る穴）を設けることで、移動の便宜をはかることができる。
エアー抜きは、廃棄物容器の一部に、容器の内部と外部とが連通するように設けられる。このエアー抜きを設けることで、廃棄物収容袋を廃棄物容器から取り出す場合に、廃棄物容器の下部に真空状態が生じることはなくなり、廃棄物収容袋の取り出しがスムーズに行われる。エアー抜きは、廃棄物容器の底をたとえばネットで構成することで実現できるし、廃棄物容器の底を無しとすることで実現することもできる。
【００１０】
本発明の第１態様の廃棄物圧縮収容装置では、前記ウェイトと前記廃棄物収容袋との直接接触を防止する接触防止部材を設けることができる。この接触防止部材は、前記廃棄物容器の内壁面側の全域にわたり設けられる筒状体、前記廃棄物容器の内壁面の少なくとも一部に設けられる、少なくと一枚の板状体、または、前記廃棄物容器内の内壁面近傍の適宜個所に、容器の上部から下面に向けてそれぞれ設けられる少なくとも３本の棒状体とすることができる。
【００１１】
接触防止部材により、ウェイト自体またはウェイトの周囲に存在する硬い廃棄物が、廃棄物収容袋を損傷させるといった不都合を回避できる。具体的には、前記廃棄物容器が平面視円形状をなす場合には、前記接触防止部材は円筒とすることができるし、上端から下端方向に延びる２枚以上の断面孤形状を持つ板材とすることができるし、さらに容器の上部から下面に向けてそれぞれ設けられる少なくと３本の棒状体とすることができる。
【００１２】
また、前記廃棄物容器が平面視矩形状をなすときは、前記接触防止部材は、前記廃棄物容器の内壁面側の全域にわたり設けられる四角筒状体、前記廃棄物容器の内壁面の３つの面側、または対向する２つの面側に設けられる板状体、または、前記記廃棄物容器の隅等の適宜個所に容器の上部から下面に向けてそれぞれ設けられる少なくとも３本の棒状体とすることができる。
【００１３】
本発明の第１態様の廃棄物圧縮収容装置では、前記廃棄物容器の下端には当該容器を人の足で固定するためのフランジを設けることができる。これにより、収容物が充填された廃棄物収容袋を廃棄物容器から取り出すことが容易となる。
【００１４】
本発明の第２態様の廃棄物圧縮収容装置は、廃棄物容器と、当該廃棄物容器内にセットされる廃棄物収容袋と、前記廃棄物収容袋を構成するシート材を介在させて前記廃棄物収容袋内の収容物を圧縮する押圧体と、前記押圧体をペダルの踏み付け力により動作させる押圧体駆動機構を備えたもので、前記ペダルの非踏込み時には、前記廃棄物収容袋内への収容物投入の妨害とならない位置に前記押圧体を退避させる機構と、前記ペダルの踏込み時には、前記廃棄物収容袋内の収容物を上側から下側に押圧するよう前記押圧体を動作させる機構とを備えたことを特徴とする。この態様の廃棄物圧縮収容装置では、ウェイトを必要とすることなく、簡単な機構を用いて廃棄物収容袋内の収容物を圧縮することができる。
【００１５】
上述した第１態様および第２態様の廃棄物圧縮収容装置は、シュレッダの細断紙収容容器として使用することができる。特に、シュレッダでは、細断紙収容容器に蓄積した細断紙は、１箇所に集中して蓄積されるため、充分に収納余裕があるにもかかわらず、センサが細断紙の蓄積量が限界であるとして動作してしまうことがある。このような場合に、従来のシュレッダでは、ユーザが、細断紙収容容器をシュレッダから取り出して、手により細断紙を均したり、圧縮したりする必要がある。
【００１６】
これに対し、本発明の第１態様または第２態様の廃棄物圧縮収容装置をシュレッダの細断紙収容容器として使用する場合においては、センサが細断紙の蓄積量を限界であるとして検知したときは、ただちに圧縮動作を行うことができるので、細断紙収容容器をシュレッダから取り出して、手により細断紙を均したり、圧縮したりする必要がなくなる。
【００１７】
本発明の第３態様の廃棄物圧縮収容装置は、廃棄物収容袋と、前記廃棄物収容袋の内側に配置され前記廃棄物収容袋内の収容物を圧縮するウェイトと、前記廃棄物収容袋内部に収容空間を形成し、かつ前記ウェイトをガイドするウェイトガイド部材とからなることを特徴とする。第３態様の廃棄物圧縮収容装置では、前記ウェイトガイド部材が、高さ可変機構および／または収容空間の平面視面積を拡縮する拡縮機構を有することができる。
また、第３態様の廃棄物圧縮収容装置は、シュレッダの細断紙収容体（袋）として使用することができる。
【００１８】
【発明の実施の形態】
図１（Ａ），（Ｂ），（Ｃ）は、本発明の第１態様の廃棄物圧縮収容装置の実施形態を示す図であり、（Ａ）は廃棄物圧縮収容装置１の全体斜視図、（Ｂ）は廃棄物圧縮収容装置１の側面説明図、（Ｃ）は廃棄物圧縮収容装置１の下部隅αの切り欠き拡大図である。
【００１９】
図１（Ａ）〜（Ｃ）において、廃棄物圧縮収容装置１は廃棄物容器１１と、蓋１２と、接触防止板（接触防止部材）１３と、ウェイト１４とからなる。図１（Ａ）では、後述する廃棄物収容袋１５（図１（Ｂ）参照）は説明の便宜上図示していない。また、図１（Ｃ）の切り欠き拡大図には、廃棄物収容袋１５および接触防止板１３は図示していない。
【００２０】
廃棄物容器１１の底板１１４の四隅（図１（Ｃ）では、１つの隅のみを示す）には、通気穴１１５が形成されており、廃棄物容器１１の正面にエアー抜き（ここでは、スリット１１３）が形成されている。なお、本実施形態では、エアー抜きとしてスリットとしたが、パンチ穴等の他のエアー抜きとすることもできる。スリット１１３の寸法は、怪我防止の観点から子供の指が入らない大きさであることが重要である。また、スリット１１３の数や大きさは、容器の大きさに応じて適宜定めることができる。すなわち、スリット１１３は、底板１１４の通気穴１１５と同様に、廃棄物収容袋を廃棄物容器から取り出す場合に、廃棄物容器１１の下部に真空状態が生じて、この取り出し操作を困難にするのを防ぐためのエアー抜きとして設けられるものであって、理論的には、容器１１の内部と外部とが連通するように設けるだけでよいが、実用上は、上記の底板１１４の通気穴１１５と併せて、４５リットル容器に対して１００ｍｍ２〜２５０００ｍｍ２程度の面積を目安として、容器１１の内部と外部を連通させることが好適である。そこで、本発明では、この面積を確保し、かつ上記の安全面をも担保すべく、４５リットル容器に対して、スリット幅２〜５ｍｍ、長さ５ｍｍ〜１００ｍｍ程度の大きさのスリット１１３を１０〜５０本程度、を目安にして設けることが適している。
【００２１】
スリット１１３は、図１（Ａ）〜（Ｃ）では正面に形成されているが、本発明の廃棄物圧縮収容装置はこれに限定されず、側面や背面に設けることもできるし、正面に設けずに側面や背面に設けることもできる。また、廃棄物容器１１の両側面には把手１１２が設けられており（図１（Ａ）参照）、両側面下端には当該容器を人の足で固定するためのフランジ１１１が設けられている。また、図１（Ｂ）では廃棄物収容袋１５に収容物Ｄが蓄積された様子が示されている。
【００２２】
廃棄物容器１１には廃棄物収容袋１５がセットされ、廃棄物収容袋１５内部には、廃棄物容器１１の前後の壁面側に接触防止板１３，１３が対向して取り付けられている。接触防止板１３は、廃棄物容器１１の前後面よりやや小さい大きさの四角形状をなし、その上端には廃棄物容器１１の上縁に掛けるための留め部１３１が形成されている。また、ウェイト１４は廃棄物容器１１の平面視形状よりもやや小径な平面形状を持ち、その上面には把手１４１が形成されている。
【００２３】
図２（Ａ），（Ｂ）は、図１（Ａ）〜（Ｃ）に示した廃棄物圧縮収容装置１の作用の説明図である。まず、企業等において生じるシュレッダ細断紙、家庭において生じるゴミ等を、ウェイト１４を除去した状態で廃棄物収容袋１５内に逐次蓄積し、図１（Ｂ）に示すように蓄積をしたときには、その都度、廃棄物収容袋１５内の収容物上にウェイト１４を載置しておく。本実施形態では、ウェイト１４の重量は、たとえば１．５〜５．０ｋｇ程度とすることができる。また、廃棄物圧縮収容装置１の平面視面積に比べてウェイト１４の大きさが小さいときは、廃棄物収容袋１５内の収容物上にウェイト１４を複数並べて載置することができる。
【００２４】
つぎに、図２（Ａ）に示すように接触防止板１３を、収容物Ｄが蓄積された廃棄物収容袋１５から抜き取り、図２（Ｂ）に示すように、廃棄物容器１１から廃棄物収容袋１５を取り出す。この廃棄物収容袋１５の取り出しに際しては、スリット１１３および通気穴１１５から空気（図２（Ｂ）ではＡｉｒ）が、廃棄物容器１１の移動により形成される空間に流入するので、廃棄物収容袋１５は廃棄物容器１１からスムーズに取り出される。このとき、図２（Ｂ）に示すように、足（靴）Ｓによりフランジ１１１を固定して廃棄物収容袋１５を取り出すこともできる。
【００２５】
図３は、本発明の第２態様の廃棄物圧縮収容装置の実施形態を示す全体斜視図である。図３において、廃棄物圧縮収容装置２は廃棄物容器２１と、蓋２２と、接触防止棒（接触防止部材）２３と、ウェイト２４とからなる。
【００２６】
図３では、廃棄物収容袋は説明の便宜上図示していない。廃棄物容器２１および蓋２２の構成は図１で示した廃棄物容器１１および蓋１２と同じである。したがって、図３における、廃棄物容器２１の図示しない底板の四隅には、通気穴が形成されており、容器正面にはスリット２１３が形成されている。また、廃棄物容器２１の両側面には把手２１２が設けられており、両側面下端には当該容器を人の足で固定するためのフランジ２１１が設けられている。
【００２７】
廃棄物容器２１には図示しない廃棄物収容袋がセットされ、廃棄物収容袋内部には、廃棄物容器２１の四隅に接触防止棒２３が取り付けられている。接触防止棒２３の上端には廃棄物容器２１の上縁に掛けるための留め部２３１が形成されている。
また、ウェイト２４は廃棄物容器２１の平面視形状よりもやや小径な平面形状を持ち、その上面には把手２４１が形成され、四隅には接触防止棒２３にガイドされるガイド溝２４２が設けられている。
【００２８】
図３に示した廃棄物圧縮収容装置２の作用は、基本的には第１態様における廃棄物圧縮収容装置１の作用と同じである。まず、ゴミ等の蓄積をしたときには、その都度、廃棄物収容袋内の収容物Ｄ上にウェイト２４を載置しておく。ウェイト２４の重量は、第１態様の場合と同様、概ね１．５〜５．０ｋｇ程度とすることが好ましい。また、ウェイト２４は、第１態様と同様、２つ以上用いることもできる。
【００２９】
つぎに、接触防止棒２３を、収容物が蓄積された図示しない廃棄物収容袋から抜き取り、廃棄物容器２１から当該廃棄物収容袋を取り出す。この抜き取りに際しては、第１態様と同様、スリット２１３および図示しない通気穴から空気が、廃棄物収容袋が移動して作られる空間に流入するので、廃棄物収容袋は廃棄物容器２１からスムーズに抜き取られる。このとき、足（靴）によりフランジ２１１を固定して廃棄物収容袋を取り出すこともできる。
【００３０】
図４、図５および図６（Ａ）〜（Ｆ）は、本発明の廃棄物圧縮収容装置の
第３実施形態を示す図であり、図４はシュレッダ３の外観を、図５はシュレッダ３に設けられた圧縮機構を、図６（Ａ）〜（Ｆ）は当該圧縮機構の動作をそれぞれ示している。
【００３１】
図４において、シュレッダ３は廃棄物容器３１と、紙細断部３２と、押圧板（本発明の押圧体）３３と、押圧機構（本発明の押圧体駆動機構）３４とからなる。
シュレッダ３の下部空間には廃棄物容器３１が収納され、廃棄物容器３１は、前面の扉Ｔを開くことにより、当該空間に出し入れすることができる。また、シュレッダ３の上部は紙細断部３２を構成しており、紙細断部３２の直下には押圧板３３が配置されている。また、シュレッダ３の両側には押圧機構３４が構成されている。押圧機構３４は、図５において詳述するように左側機構３４１と、右側機構３４２と、ペダル３４３とを含んで構成される。
【００３２】
図５では押圧機構３４として、右側機構３４２およびペダル３４３が示されている。左側機構３４１は図示しないが、右側機構３４２と構成は同一である。図５において、ペダル３４３は、足（靴）Ｓにより踏み込まれると、手前の支軸Ｐを中心に回動し、踏み込み力はペダル３４３の先端に取り付けられたワイヤーを介して、伝達プーリー３４２１，差動プーリー３４２２に伝えられる。なお、ペダル３４３からワイヤーが、右側機構３４２の伝達プーリーにも接続されており、ペダル３４３の踏み込み力は左側機構３４１にも伝えられる。
【００３３】
差動プーリー３４２２の伝達力は押圧板３３に設けられたピン３３３に伝達され、押圧板３３を下方に押し下げることができる。ピン３３３には、他のワイヤーが取り付けられており、このワイヤーは、プーリー群３４２３を介してスプリング３４２７に接続されている。押圧板３３は、上記のスプリング３４２７により上方に付勢されている。
【００３４】
押圧板３３は、第１板３３１と第２板３３２とからなり、第２板３３２は第１板３３１に対してシュレッダ３の前後方向に移動する（すなわち、第２板３３２が前方に迫り出す）ことができる。第１板３３１には上記したピン３３３およびピン３３４が固定されている。
【００３５】
右側機構３４２には板体３４２０が内蔵されており、この板体３４２０には、鉛直方向に鉛直スリット３４２５，３４２６および曲線スリット３４２４が形成されている。ピン３３３，３３４は、鉛直スリット３４２５，３４２６内を上下に移動することができ、押圧板３３は、２つのピン３３３，３３４により水平に保たれる。
【００３６】
また、第２板３３２には、ピン３３５が固定されており、ピン３３５は曲線スリット３４２４内を移動することができる。ピン３３５が曲線スリット３４２４を移動することで、ピン３３５は、ピン３３３に対して変位し、これにより押圧板３３の第２板３３２は、第１板３３１に対して伸張したり、収縮したりすることができる。
【００３７】
以下、図４のシュレッダ３の動作を図６（Ａ）〜（Ｆ）を参照して説明する。図６（Ａ）〜（Ｆ）に示すように、廃棄物収容袋３５の前端は廃棄物容器３１に取り付けられ、後端は第２板３３１の前端に取り付けられる。
【００３８】
シュレッダ３の紙細断部３２を通った紙Ｋは細断されて、案内板Ｒを介して廃棄物収容袋３５に収容される。シュレッダ３には、蓄積した細断紙の堆積高さを検出する図示しないセンサが設けられている。このセンサが蓄積された細断紙を検知すると、シュレッダ３の操作パネルの警告灯を点滅または点灯させる。ユーザは、この警告灯が点滅等したときは、ペダル３４３を足（靴）Ｓで踏み付ける。これにより、押圧板３３が下方に下げられ、初期位置にあったピン３３３，３３４，３３５（図６（Ａ）参照）は、スリット３４２５，３４２６，３４２４内を摺動し、図６（Ｂ）に示すように第２板３３２が延びる。そして、押圧板３３がさらに下方に下げられ、図６（Ｃ），図４（Ｄ）に示すように、第１板３３１と第２板３３２により、収容物Ｄは圧縮される。
ユーザがペダル３４３の踏み付けを解除すると、押圧板３３は、付勢力により上方に移動し、第１板３３１と第２板３３２は最初の位置に戻る（図６（Ｅ），（Ｆ））。
【００３９】
図４、図５および図６（Ａ）〜（Ｆ）に示した第３実施形態では、圧縮機構を備えたシュレッダを例示したが、従来型のシュレッダの廃棄物容器に図７（Ａ）に例示するような、長さ方向に撓むウェイト４を、廃棄物容器内に常設しておくことができる。
【００４０】
図７（Ａ）のウェイト４４は、複数の錘ブロック４４１〜４４５と、可撓プレート４４６とからなる。錘ブロック４４１〜４４５は、可撓プレート４４１上にが並んで配置されており、中央の錘ブロック４４３の上面には把手４４７が設けられている。錘ブロック４４１〜４４５は、金属ブロック、砂袋等の重量体であり、可撓プレート４４６はプラスチック板からなる。図７のウェイト４４は、シュレッダの廃棄物容器４１内に常設しておくことができ、図７（Ｂ）に示すように細断紙Ｄに埋もれてしまうが、たとえば、センサにより細断紙が検知されたときに、図７（Ｃ）に示すようにウェイト４４を手作業により細断紙Ｄの上に移動させることで、図７（Ｄ）に示すように細断紙Ｄは順次圧縮される。
【００４１】
図８（Ａ），（Ｂ）は、本発明の第３態様の廃棄物圧縮収容装置の実施形態を示す説明図である。
図８（Ａ）に示す廃棄物圧縮収容装置５１は、廃棄物収容袋５１１と、廃棄物収容袋５１１の内側に配置されるたとえば図９（Ａ）に一部を示す平面視矩形状のウェイト５１２と、廃棄物収容袋５１１内部に収容空間を形成し、かつウェイト５１２をガイドする平面視コ字形に折り曲げられた１対のウェイトガイド部材５１３とからなる。２つのウェイトガイド部材５１３の距離を調整することで、収容空間の平面視面積を拡縮することができる。ウェイトガイド部材５１３のコ字の２つの迫り出し部が本発明における拡縮機構を構成している。なお、図９（Ａ）のウェイト５１２は、複数のブロックからなりこれらのブロックは、嵌合体５１２１，５１２２により着脱できるように構成されており、大きさ（重量）を適宜変更することができる。
図８（Ｂ）に示す廃棄物圧縮収容装置５２は、廃棄物収容袋５２１と、廃棄物収容袋５２１の内側に配置されるたとえば図９（Ｂ）に示す平面視円形状の支持体５２２１とウェイト材５２２２とからなるウェイト５２２と、廃棄物収容袋５２１内部に収容空間を形成し、かつウェイト５２２をガイドするウェイトガイド部材５２３とからなる。ウェイトガイド部材５２３は、円形枠５２３１と、少なくとも３本（図９（Ｂ）では４本）の棒状体５２３２とからなり、棒状体５２３２には高さ可変機構５２４が、円形枠５２３１には収容空間の平面視面積を拡縮する拡縮機構５２５を有している。
なお、廃棄物圧縮収容装置５１，５２は、シュレッダに取り付け、シュレッダの細断紙収容体（袋）として使用することができる。
【００４２】
【発明の効果】
本発明の廃棄物圧縮収容装置は、エアー抜きが、廃棄物容器の一部に内部が外部と連通するように設けられているので、廃棄物収容袋を廃棄物容器から取り出すに際して廃棄物容器の下部に真空状態が生じることはなくなり、廃棄物収容袋の取り出しがスムーズに行われる。
【００４３】
本発明の廃棄物圧縮収容装置では、ウェイトが廃棄物収容袋との直接接触を防止する接触防止部材を設けることができる、この場合には、廃棄物収容袋を損傷させるといった不都合を回避できる。また、前記廃棄物容器の下端には当該容器を人の足で固定するためのフランジを設けることで、収容物が充填された廃棄物収容袋を廃棄物容器から取り出すことが容易となる。
【００４４】
さらに、本発明の他の態様の廃棄物圧縮収容装置は、ペダルの踏み込みにより、ウェイトを用いることなく廃棄物収容袋内の収容物を圧縮することができる。
【００４５】
上述した廃棄物圧縮収容装置を、シュレッダの細断紙収容容器として使用した場合において、センサが蓄積量を限界であるとして検知したときに、ただちに圧縮動作を行うことができるので、細断紙収容容器をシュレッダから取り出して、手により細断紙を均したり、圧縮したりするといった煩わしさは解消される。
【図面の簡単な説明】
【図１】本発明の廃棄物圧縮収容装置の第１実施形態を示す説明図であり、（Ａ）は廃棄物圧縮収容装置１の全体斜視図、（Ｂ）は廃棄物圧縮収容装置１の側面説明図、（Ｃ）は廃棄物圧縮収容装置１の下部隅αの切り欠き拡大図である。
【図２】（Ａ）は触防止板が収容物が蓄積された廃棄物収容袋から抜き取られる様子を示す図、（Ｂ）は廃棄物容器から廃棄物収容袋を取り出す様子を示す図である。
【図３】本発明の廃棄物圧縮収容装置の第２実施形態を示す説明図である。
【図４】本発明の第３実施形態の廃棄物圧縮収容装置が使用されるシュレッダの外観図である。
【図５】第３実施形態の廃棄物圧縮収容装置の機構図である。
【図６】図５の機構図の動作説明図（（Ａ）〜（Ｆ））である。
【図７】（Ａ）は本発明の廃棄物圧縮収容装置に用いるウェイトを示す図、（Ｂ）〜（Ｄ）はその作用を示す説明図である。
【図８】（Ａ），（Ｂ）は、本発明の第３態様の廃棄物圧縮収容装置の実施形態を示す説明図である。
【図９】（Ａ）は図８（Ａ）の実施形態において使用されるウェイトを示す図、（Ｂ）は図８（Ｂ）の実施形態において使用されるウェイトを示す図である。
【符号の説明】
１，２　廃棄物圧縮収容装置
３　シュレッダ
１１，２１，３１　廃棄物容器
１２，２２　蓋
１３　接触防止板
１４，２４，４４　ウェイト
１５　廃棄物収容袋
２３　接触防止棒
３２　紙細断部
３３　押圧板
３４　押圧機構
４２　可撓プレート
１１１，２１１　フランジ
１１２，２１２　把手
１１３，２１３　スリット
１１４　底板
１１５　通気穴
１３１，２３１　留め部
１４１，２４１，４４７　把手
２４２　ガイド溝
３３１　第１板
３３２　第２板
３３３，３３４，３３５　ピン
３４１　左側機構
３４２　右側機構
３４３　ペダル
４４１〜４４５　錘ブロック
４４６　プレート
３４２０　板体
３４２１　伝達プーリー
３４２２　差動プーリー
３４２３　プーリー群
３４２４　曲線スリット
３４２５，３４２６　鉛直スリット
３４２７　スプリング
Ｄ　収容物
Ｋ　紙
Ｐ　支軸
Ｒ　案内板
Ｓ　足（靴）
Ｔ　扉
【図１】
2004010208.tif 000003
【図２】
2004010208.tif 000004
【図３】
2004010208.tif 000005
【図４】
2004010208.tif 000006
【図５】
2004010208.tif 000007
【図６】
2004010208.tif 000008
【図７】
2004010208.tif 000009
【図８】
2004010208.tif 000010
【図９】
2004010208.tif 000011